(57)【要約】    【課題】  回転子とそれに接しているリターンスプリングとの関係で筆記先端の出没がスムーズに行われる筆記具を提供する。    【解決手段】  筆記先端(21)を収納可能な先端孔を備えるとともに内壁にカム面(16)を形成した軸筒(10)と、そのカム面(16)と係脱するとともに軸筒(10)の軸方向に進退可能な回転子(60)と、その回転子(60)に軸方向の押圧力を与えるためのノック部材(30)とを備えることによって、そのノック部材(30)を介した回転子(60)の軸方向の移動によって軸筒(10)の先端孔から筆記先端(21)を出没可能なノック式筆記具に係る。  その軸筒(10)内には、前記回転子(60)をノック部材(30)側に付勢するために縮装させたリターンスプリング(50)と、  そのリターンスプリング(50)および前記回転子(60)の間に位置させたスプリング受け部材(40)とを備える。【選択図】    図１
2005053196.tif 000002
【特許請求の範囲】
【請求項１】
先端に筆記先端を収納可能な先端孔を備えるとともに内壁にカム面を形成した軸筒と、そのカム面と係脱するとともに軸筒の軸方向に進退可能な回転子と、その回転子に軸方向の押圧力を与えるためのノック部材とを備えることによって、そのノック部材を介した回転子の軸方向の移動によって軸筒の先端孔から筆記先端を出没可能なノック式筆記具において、
軸筒内には、前記回転子をノック部材側に付勢するために縮装させたリターンスプリングと、
そのリターンスプリングおよび前記回転子の間に位置させたスプリング受け部材とを備えたことを特徴とするノック式筆記具。
【請求項２】
前記スプリング受け部材と回転子とが当接する場合における回転子との当接部分には、両部材の動摩擦を低めるための突部を形成したことを特徴とする請求項１に記載のノック式筆記具。
【請求項３】
前記筆記先端に対してインクを供給するためのインク収納管と前記回転子と係合させたことを特徴とする請求項１または請求項２のいずれかに記載のノック式筆記具。
【請求項４】
筆記先端に対してインクを供給するためのインク収納管と前記スプリング受け部材と係合させたことを特徴とする請求項１または請求項２のいずれかに記載のノック式筆記具。
【請求項５】
前記回転子の内壁には、インク収納管の外周に当接することによってインク収納管と係合するための複数組の突条を備え、
その突条における少なくとも一組は、内壁からの高さを他の突条とは異ならせたことを特徴とする請求項３に記載のノック式筆記具。
【請求項６】
前記スプリング受け部材の内壁には、インク収納管の外周に当接することによってインク収納管と係合するための複数組の突条を備え、
その突条における少なくとも一組は、内壁からの高さを他の突条とは異ならせたことを特徴とする請求項４に記載のノック式筆記具。
【請求項７】
前記回転子の内壁の内径よりも、前記スプリング受け部材の内壁の内径を大きく形成し、
筆記先端およびインク収納管を備えて形成された一のリフィール部材におけるインク収納管の外周に回転子の内壁を当接させることによって回転子とリフィール部材とを係合可能とし、
前記一のリフィール部材におけるインク収納管よりも外径が大きな他のリフィール部材におけるインク収納管については、その外周にスプリング受け部材の内壁を当接させることによってスプリング受け部材とインク収納管とを係合可能としたことを特徴とする請求項１、請求項２、請求項４または請求項５のいずれかに記載のノック式筆記具。
【請求項８】
先端に筆記先端を収納可能な先端孔を備えるとともに内壁にカム面を形成した軸筒と、そのカム面と係脱するとともに軸筒の軸方向に進退可能な回転子と、その回転子に軸方向の押圧力を与えるためのノック部材とを備えることによって、そのノック部材を介した回転子の軸方向の移動によって軸筒の先端孔から筆記先端を出没可能なノック式筆記具に用いる筆記具の出没機構であって、
前記軸筒の内部に収納され、前記回転子をノック部材側に付勢するために縮装されたリターンスプリングと、
そのリターンスプリングおよび前記回転子の間に位置するスプリング受け部材とを備えたことを特徴とするノック式筆記具の出没機構。
【発明の詳細な説明】
【技術分野】
【０００１】
本発明は、軸筒の後端から突出させた進退自在の操作部材をノックすることによって筆記先端を軸筒から進退させることができるノック式筆記具に関する。
【背景技術】
【０００２】
本願に関連する先行技術として、特許３２６２７５４号を抽出した。この文献には、以下のような技術が記載されている。すなわち、ノック軸にはその前端から軸部の後端側へ向けた回転子挿入孔を設け、回転子には前記回転子挿入孔に回転可能な軸部を設け、回転子の前端から軸部の後端側へ向けたリフィール挿入孔を設け、そのリフィール挿入孔内にリフィール抜け止め突起を備えたことを特徴とする。
【０００３】
【特許文献１】特許３２６２７５４号公報
【０００４】
上述の先行技術によれば、ノック式筆記具においてリフィール自体の長さを変えることなく、全体の長さを短くすることを可能とする。
また、回転子をノック部材側に付勢するために縮装されたリターンスプリングを備えているが、そのリターンスプリングの装着位置を筆記先端側とする必要がない。そのため、筆記先端側の設計自由度が広がるといった利点もある。
【発明の開示】
【発明が解決しようとする課題】
【０００５】
上記のようなノック式の筆記具においては、前述のようにリターンスプリングが備えられており、そのリターンスプリングは前記回転子に当接させている。したがって、リターンスプリングの端部処理が正確に行われていない場合に生じる引っ掛かりや、異物の存在などによって回転子の回転が阻害されるような場合がある。そのような場合には、筆記先端の出没が円滑に行われなくなる場合がある。
リターンスプリングの端部処理の精度を高めると、コスト高になる。また、異物の侵入を防ぐことに関しては製造時のみならず使用時にまで及ぶため、完全を期しがたい。
【０００６】
そこで、本発明が解決しようとする課題は、回転子とそれに接しているリターンスプリングとの関係で筆記先端の出没が円滑に行われなくなる確率を現在よりも格段に低めることができる技術を提供することにある。
ここで、請求項１から請求項７に記載の発明の目的は、回転子とリターンスプリングとの関係で筆記先端の出没が円滑に行われなくなる確率を現在よりも格段に低めることができるノック式筆記具を提供することにある。
また、請求項８に記載の発明の目的は、回転子とリターンスプリングとの関係で筆記先端の出没が円滑に行われなくなる確率を現在よりも格段に低めることができるノック式筆記具の出没機構を提供することにある。
【課題を解決するための手段】
【０００７】
（請求項１）
請求項１記載の発明は、 先端に筆記先端(21)を収納可能な先端孔を備えるとともに内壁にカム面(16)を形成した軸筒(10)と、そのカム面(16)と係脱するとともに軸筒(10)の軸方向に進退可能な回転子(60)と、その回転子(60)に軸方向の押圧力を与えるためのノック部材(30)とを備えることによって、そのノック部材(30)を介した回転子(60)の軸方向の移動によって軸筒(10)の先端孔から筆記先端(21)を出没可能なノック式筆記具に係る。
すなわち、軸筒(10)内には、前記回転子(60)をノック部材(30)側に付勢するために縮装させたリターンスプリング(50)と、  そのリターンスプリング(50)および前記回転子(60)の間に位置させたスプリング受け部材(40)とを備えたことを特徴とする。
【０００８】
（用語説明）
「筆記具」としては、代表的にはボールペンであるが、フェルトペン、万年筆、ニードルペンなどであってもよい。
したがって、「筆記先端」とは、筆記具が万年筆である場合には、ペン先をいい、また、筆記具がボールペンである場合には、ボールペンチップをいい、また、筆記具がフェルトペンである場合には、フェルトからなる筆記用尖端をいい、また、筆記具がサインペン（マーカーペン）である場合には、繊維束体からなる筆記用尖端をいい、また、筆記具がニードルペンである場合には、細い管状の筆記用尖端をいう。
【０００９】
「スプリング受け部材(40)」につき、「リターンスプリング(50)および前記回転子(60)の間に位置させた」とは、スプリング受け部材がリターンスプリングと回転子とが直接接触しないための部材であることを意味し、スプリング受け部材が複数の部材にて形成されることを妨げない。
【００１０】
（作用）
リターンスプリング(50)および前記回転子(30)の間にはスプリング受け部材(40)が存在するので、スプリング受け部材(40)がリターンスプリング(50)と回転子(60)とが直接接触しない。このため、リターンスプリング(50)の端部処理が正確に行われていない場合に生じる引っ掛かりや、異物の存在などによって回転子の回転が阻害されるような事態が生じる確率が極めて低くなる。そのため、リターンスプリング(50)の端部処理を正確に行うための精度向上およびそれに伴う製造コストの増加を必要としない。
【００１１】
（請求項２）
請求項２記載の発明は、請求項１に記載のノック式筆記具を限定したものであり、
前記スプリング受け部材(40)と回転子(60)とが当接する場合における回転子(60)との当接部分には、両部材(40および／または60)の動摩擦を低めるための突部(41)を形成したことを特徴とするノック式筆記具に係る。
【００１２】
（用語説明）
「両部材の動摩擦を低めるための突部」とは、例えば、形状として半球状を採択したり、潤滑性に優れた材質を採用したりすることによって提供される。突部は、スプリング受け部材側に形成するのが一般的であるが、それに限られない。例えば、回転子側に突部を形成してもよい。
【００１３】
（作用）
突部(41)の存在により、スプリング受け部材(40)と回転子(60)との動摩擦が低められ、回転子(60)の回転が円滑になる。
【００１４】
（請求項３）
請求項３記載の発明は、請求項１または請求項２のいずれかに記載のノック式筆記具を限定したものであり、
前記筆記先端(21)に対してインクを供給するためのインク収納管(20)と前記回転子(60)とを係合させたことを特徴とするノック式筆記具に係る。
【００１５】
（用語説明）
「インク収納管(20)と前記回転子(60)との係合」とは、回転子(60)が直接、インク収納管(20)と係合する場合の他、他の部材を介在させて係合させる場合も含む趣旨である。
【００１６】
（作用）
インク収納管(20)と前記回転子(60)とを係合させたので、回転子(60)が回転すると同時に筆記先端(21)が軸筒(10)）に対して回転する。したがって、インク収納管(20)に連続している筆記先端(21)も、回転子(60)の回転に伴って回転する。その効果として、例えば、筆記先端(21)がボールペンチップである場合に、ボールペンチップのボール受け座に発生する偏摩耗を防止することができる。
【００１７】
（請求項４）
請求項４記載の発明は、請求項１または請求項２のいずれかに記載のノック式筆記具を限定したものであり、
筆記先端(21)に対してインクを供給するためのインク収納管(20)と前記スプリング受け部材(40)と係合させたノック式筆記具に係る。
【００１８】
（作用）
インク収納管(20)と前記スプリング受け部材(40)と係合しており、インク収納管(20)と回転子(60)とは直接、係合しない。したがって、インク収納管(20)に連続している筆記先端(21)が、回転子(60)の回転に伴って回転することはない。このため、例えば、筆記先端(21)がフェルトペンであるような場合には、筆記者は筆記先端(21)の進退動作のたびに握り変える必要がない。
【００１９】
（請求項５）
請求項５記載の発明は、請求項３に記載のノック式筆記具を限定したものである。
すなわち、前記回転子(60)の内壁には、インク収納管(20)の外周に当接することによってインク収納管(20)と係合するための複数組の突条を備え、  その突条(63)における少なくとも一組は、内壁からの高さを他の突条とは異ならせたことを特徴とするノック式筆記具に係る。
【００２０】
（作用）
突条(63)における少なくとも一組は、回転子(60)の内壁からの高さを他の突条とは異ならせている。例えば、一組の突条の距離は、細長い円柱状のインク収納管(20)の外径よりも僅かに小さく形成し、他の組の突条はインク収納管(20)の外径よりも僅かに大きく形成している。インク収納管(20)と回転子(60)とを係合させる際には、突条が存在するので変形に対する抗力よりも強く押し込む必要がある。その結果、その突条に当接したインク収納管(20)の部位は外径方向を縮められるように変形する。その変形によって他の部位の外径はやや拡がり、他の突条に対してもインク収納管(20)の部位が当接することになる。この結果、インク収納管(20)は、回転子(60)に対して安定的に固定されることとなる。
【００２１】
（請求項６）
請求項６記載の発明は、請求項４に記載のノック式筆記具を限定したものである。
すなわち、前記スプリング受け部材(40)の内壁には、インク収納管(20)の外周に当接することによってインク収納管(20)と係合するための複数組の突条(43a,43b,43c)を備え、  その突条(43a)における少なくとも一組は、内壁からの高さを他の突条とは異ならせたことを特徴とするノック式筆記具に係る。
【００２２】
例えば、一組の突条(43a)の距離は、細長い円柱状のインク収納管(20)の外径よりも僅かに小さく形成し、他の組の突条(43b,43c)はインク収納管(20)外径よりも僅かに大きく形成している。インク収納管(20)とスプリング受け部材(40)とを係合させる際には、突条(43a) が存在するので変形に対する抗力よりも強く押し込む必要がある。その結果、その突条(43a)に当接したインク収納管(20)の部位は外径方向を縮められるように変形する。その変形によって他の部位の外径はやや拡がり、他の突条(43b,43c)に対してもインク収納管(20)の部位が当接することになる。この結果、インク収納管(20)は、スプリング受け部材(40)に対して安定的に固定されることとなる。
【００２３】
（請求項７）
請求項７記載の発明は、請求項１、請求項２、請求項４または請求項５のいずれかに記載のノック式筆記具を限定したものである。
すなわち、前記回転子(60)の内壁の内径よりも、前記スプリング受け部材(40)の内壁の内径を大きく形成し、
筆記先端(21)およびインク収納管(20)を備えて形成された一のリフィール部材におけるインク収納管(20)の外周に回転子(60)の内壁を当接させることによって回転子(60)とリフィール部材とを係合可能とし、  前記一のリフィール部材におけるインク収納管(20)よりも外径が大きな他のリフィール部材におけるインク収納管(20)については、その外周にスプリング受け部材(40)の内壁を当接させることによってスプリング受け部材(40)とインク収納管(20)とを係合可能としたことを特徴とするノック式筆記具に係る。
【００２４】
（作用）
径の異なるリフィール部材に対しても、本請求項に係るノック式筆記具において、共通の構造、部材にて対応することができる。
【００２５】
（請求項８）
請求項８記載の発明は、先端に筆記先端(21)を収納可能な先端孔を備えるとともに内壁にカム面(16)を形成した軸筒(10)と、そのカム面(16)と係脱するとともに軸筒(10)の軸方向に進退可能な回転子(60)と、その回転子(60)に軸方向の押圧力を与えるためのノック部材(30)とを備えることによって、そのノック部材(30)を介した回転子(60)による軸方向の移動によって軸筒(10)の先端孔から筆記先端(21)を出没可能なノック式筆記具に用いる筆記具の出没機構に係る。
すなわち、前記軸筒(10)の内部に収納され、前記回転子(60)をノック部材(30)側に付勢するために縮装されたリターンスプリング(50)と、  そのリターンスプリング(50)および前記回転子(60)の間に位置するスプリング受け部材(40)とを備えたノック式筆記具の出没機構に係る。
【００２６】
請求項８は、請求項１記載のノック式筆記具に対する一部の構成要件にて構成された発明であって、先端に筆記先端を収納可能な先端孔を備えるとともに内壁にカム面を形成した軸筒と、そのカム面と係脱するとともに軸筒の軸方向に進退可能な回転子と、その回転子に軸方向の押圧力を与えるためのノック部材とを備えることによって、そのノック部材を介した回転子の軸方向の移動によって軸筒の先端孔から筆記先端を出没可能なノック式筆記具に用いる筆記具の出没機構に係る。
すなわち、前記軸筒の内部に収納され、前記回転子をノック部材側に付勢するために縮装されたリターンスプリングと、  そのリターンスプリングおよび前記回転子の間に位置するスプリング受け部材とを備えたことを特徴とするノック式筆記具の出没機構である。
【発明の効果】
【００２７】
請求項１から請求項７に記載の発明によれば、回転子とそれに接しているリターンスプリングとの関係で筆記先端の出没が円滑に行われなくなる確率を現在よりも格段に低めることができるノック式筆記具を提供することができた。
また、請求項８に記載の発明によれば、回転子とそれに接しているリターンスプリングとの関係で筆記先端の出没が円滑に行われなくなる確率を現在よりも格段に低めることができるノック式筆記具の出没機構を提供することができた。
【発明を実施するための最良の形態】
【００２８】
以下、本発明を実施の形態及び図面に基づいて、更に詳しく説明する。ここで使用する図面は、図１乃至図９である。図１は本発明の実施形態の全体を示す断面図であり、図２は本発明の実施形態の主要部を示す断面図である。図３から図６は主要部品を示す図であり、図７から図９は作動状態を示す図である。
【００２９】
（図１）
図１に示すように、本発明に係る実施形態は、軸筒１０を軸方向のほぼ中央部にて二分割するとともに、筆記先端と反対側の端部からノック部材３０を突出させた単独軸のボールペンであり、グリップ部材１４にゲル材料を採用したものである。
【００３０】
軸筒１０は、グリップ部材１４側に位置する前軸筒１１と、ノック部材３０側に位置する後筒軸１５とを備え、前筒軸１１に形成した雄ネジ部１３と後軸筒１５側に形成した雌ネジ部６６とを螺合させて結合する。前筒軸１１における雄ネジ部１３と反対側には、筆記先端（ボールペンチップ）２１を保護する先細りをした円錐台形をなした筆記先端筒軸１２を螺合している。後筒軸１５の外周には、筆記具全体のデザイン的なアクセントを加えるための化粧筒１９が固定される。前軸筒１１、筆記先端筒軸１２および後筒軸１５にて形成される筒体には、細長い円柱状のインク収納管２０および前述した筆記先端２１を内装している。
【００３１】
グリップ部材１４としてゲル材料を採用したのは、握り疲れを抑制するためであるが、そのゲル材料には適度な厚みが必要であり、そのため、前筒軸１１の外径は細いものを採用することが望ましい。このため、いわゆるノック式ボールペンに必須であるコイル状のリターンスプリング５０は、細い外径の前筒軸１１ではなく後筒軸１５側に内装することとなった。
【００３２】
後筒軸１５における雌ネジ部６６の奥には、リターンスプリング５０の一端を固定するためのスプリング固定部材５１が後筒軸１５へ固定されている。このスプリング固定部材５１は、インク収納管２０を貫通させる概ね筒状をなすとともに、ノック部材３０側において後筒軸１５の内壁と挟み込むようにしてリターンスプリング５０の端部を固定している。また、後筒軸１５の内壁にはカム面を形成しており、そのカム面と係脱するとともに後軸筒１５の軸方向に進退可能な回転子６０が備えられている。
【００３３】
前記ノック部材３０は、縮装されているリターンスプリング５０の弾発力に抗して筆記者により与えられる、回転子６０への軸方向の押圧力を伝えるための部材である。ノック部材３０は、筆記者による操作の指に触れるノックヘッド部材３１と、そのノックヘッド部材３１に与えられた力を回転子５０に伝達するための伝達部材３２とを備えている。伝達部材３２は、図５を用いて後述する。
【００３４】
リターンスプリング５０におけるスプリング固定部材５１の他端は、後筒軸１５に内装されたスプリング受け部材４０に当接している。そして、リターンスプリング５０は、スプリング固定部材５１とスプリング受け部材４０とによって縮装されている。そのスプリング受け部材４０は、リターンスプリング５０におけるノック部材３０側に当接し、ノック部材３０の進退に合わせて進退する。また、スプリング受け部材４０におけるリターンスプリング５０の反対側には、回転子６０に当接している。回転子６０は、ノック部材３０の進退に合わせて進退するとともに、前記カム面の存在によって回動する。この点については、図７などを用いて後に詳述する。
【００３５】
（図２）
図２には、軸筒１０、インク収納管２０、ノック部材３０、スプリング受け部材４０、リターンスプリング５０および回転子６０の細部が示されている。筆記者によってノック部材３０へ与えられる進退運動を回転運動に変換しつつ筆記先端２１を軸筒１０から出没させるという機構部分は、特許３２６２７５４号公報に示される機構とほぼ同様であるが、大きく異なるのはノック部材３０とリターンスプリング５０との間に備えたスプリング受け部材４０の存在である。
【００３６】
回転子６０は、その縦断面が略凸字形の筒状体であり、伝達部材３２側が細く形成され、その細く形成された部分の外周が伝達部材３２の内側に入り込む形状となっている。また回転子６０は、後筒軸１５の内壁のカム面に噛み合う回転用カムを備えるとともに、インク収納管２０における筆記先端２１とは反対側の端部２０ａを当接させ、インク収納管２０がその軸方向のずれを生じないようにしている。回転子６０についての詳しい説明は、図６を用いて後に詳述する。
ノック部材３０の進退とともにインク収納管２０が進退するように、インク収納管２０を所定の位置に固定するのは、スプリング受け部材４０の筒内壁から中央に向かって突出する突条４３である。この突条４３については、図３において説明する。
【００３７】
（図３および図４）
図３は、スプリング受け部材４０の斜視図であり、図４は、側面図（一部断面図）および平面図である。
スプリング受け部材４０は、概ね筒状をなした熱可塑性樹脂製（本実施形態ではポリアセタール）の部材であり、リターンスプリング５０側の外径をやや小さく形成することによって形成された段差部分をスプリング当接部４２としている。
【００３８】
また、リターンスプリング５０とは反対側の端面には、断面が半円状をなす突部４１を対称に４カ所備えている。突部４１は、その断面が半円状であるため、回転子６０との接触面積を極めて小さくすることができる。採用した素材（ポリアセタール）が自ら備えている潤滑性により、回転子６０はスプリング受け部材４０に対して極めて円滑に摺動する。
前述した突条４３は、スプリング受け部材４０の筒内壁から中央に向かって突出するように形成されている。全部で６個、対称な位置に配置されている。
【００３９】
６個の突条４３は、向かい合う２つを一組として、三組が形成されており、インク収納管２０の外周に当接することによってインク収納管２０とスプリング受け部材４０とが係合する。そして、少なくとも一組は、内壁からの高さを他の突条とは異ならせている。例えば、一組の突条４３ａの距離は、細長い円柱状のインク収納管２０の外径よりも僅かに小さく形成し（突条４３ａの内接円の径を、インク収納管２０の外径よりも小さくし）、他の組の突条４３ｂ，４３ｃはインク収納管２０の外径よりも僅かに大きく形成（突条４３ｂ、４３ｃの内接円の径をインク収納管２０の外径よりも大きくし）している。インク収納管２０とスプリング受け部材４０とを係合させる際には、突条４３ａの存在により押し込む必要があり、その突条４３ａに当接したインク収納管２０の部位は外径方向を縮められるように変形する。その変形によって他の部位の外径はやや拡がり、他の突条４３ｂ，４３ｃに対してもインク収納管２０の部位が当接することになる。この結果、インク収納管２０は、スプリング受け部材４０に対して安定的に固定されることとなる。また、突条の高さを全て同じにせず、その一部を、具体的には突条４３ａのようにその内接円をインク収納管２０の外径よりも大きくしたので、スプリング受け部材４０と、インク収納管２０を係合（押し込む）するときに、係合力（押し込み力）を減少させることができる。
【００４０】
ところで、本実施形態に係るスプリング受け部材４０は、突部４１を含んだリング状の第一型と、そのリング状の型と一体になって他の部位を形成するための第二型とを用いた割り型にて形成する。熱可塑性樹脂にて作成するスプリング受け部材４０の抜き型を形成しやすいからである。ただし、割り型は、スプリング受け部材４０全体の形状や、突部４１の形態などに応じて異なるものであり、上記のような割型に限られるものではない。
【００４１】
（図５）
図５は、伝達部材３２の斜視図である。伝達部材３２は、ノックヘッド部材３１に与えられた力を回転子６０に伝達するための部材であり、概ね筒状をなしている。そして、ノックヘッド部材３１の内壁部分と係止される係止部３２ａと、その係止部３２ａと反対端において回転子６０と噛み合う鈍角波歯状の波歯端部３２ｂと、その波歯端部３２ｂ近傍における外周部において後軸筒１５の内壁に設けられた内壁溝と噛み合うホームベース形状の噛み合い突起３２ｃとを備えている。
後軸筒１５の内壁に設けられたカム１６は、内壁から突出する複数の内壁突条１６ａと、その内壁突条１６ａにおける隣り合う二つに挟まれた部位として形成される軸方向に平行な内壁溝１６ｂとによって形成されている。また、それぞれの前記内壁突条１６ａは、筆記先端２１側の端部を片波状の片波歯端部１６ｃを形成している。（図７などにおいて図示。）
【００４２】
（図６）
図６は、回転子６０の斜視図である。回転子６０は、伝達部材３２を介してノックヘッド部材３１に与えられた力によって回転し、リフィール２０の筆記先端２１を突出状態とするためにノックヘッド部材３１、伝達部材３２および回転子６０が押し込まれたポジションを維持可能としたり、リフィール２０の筆記先端２１を軸筒１０の内部に収納した状態とするためにノックヘッド部材３１、伝達部材３２および回転子６０が押し込まれた状態を解除したりする機能を果たす。
【００４３】
回転子６０は、伝達部材３２に挿入される略円筒形の挿入部６１と、その挿入部６１よりも外径が太く形成された太筒部６２と、その太筒部６２の外周部分において軸方向に長手方向をなすように形成された突条部６３と、その突条部６３および太筒部６２における挿入部６１と反対側の端部において突条部６３のなす外径と同一の外径をなすリング部６５と、突条部６３および太筒部６２におけるリング部６５と反対側の端部に形成される鈍角波歯状の波歯端部６４とを備える。
回転子６０の波歯端部６４は、挿入部６１が伝達部材３２に挿入された場合に、伝達部材３２の波歯端部３２ｂと噛み合う部位となる。また、リング部６５は、スプリング受け部材４０の突起４１と接触する部位となる。
【００４４】
（図７）
以下、図７から図９を用いて、筆記者によってノック部材３０へ与えられる進退運動を回転運動に変換しつつ筆記先端２１を軸筒１０から出没させるという機構部分を説明する。なお、機構部分の説明の都合上、後軸筒１５の内壁の一部も図示している。
【００４５】
ノックヘッド部材３１は、伝達部材３２の係止部３２ａを係止することによって伝達部材３２を固定している。伝達部材３２は、後軸筒１５の内壁に設けられた内壁溝１６ｂに対して噛み合い突起３２ｃがはまり込むことによって、後軸筒１５に対して進退自在に係合する。
回転子６０は、その挿入部６１が伝達部材３２に挿入され、伝達部材３２の波歯端部３２ｂと波歯端部６４とが噛み合う場所に位置する。また、回転子６０の突条部６３もまた、後軸筒１５の内壁溝１６ｂにはまり込む。
【００４６】
スプリング受け部材４０は、縮装されたリターンスプリング５０によってノックヘッド部材３１と反対側（図中の下方から）から付勢され、回転子６０のリング部６５に、突部４１を接触させる。リターンスプリング５０は、そのスプリング受け部材４０側の端部をスプリング当接部４２に当接させている。
図７に示されている状態は、ノックヘッド部材３１が筆記者による押圧を受けておらず、筆記先端２１（図７には図示せず）が軸筒１０（図７には図示せず）の内部に没している状態である。また、回転子６０の波歯端部６４と伝達部材３２の波歯端部３２ｂとは互いに押しつけ合っている。
【００４７】
（図８）
図８は、ノックヘッド部材３１が筆記者による押圧を受け、最大に押し込まれた状態を示している。ノックヘッド部材３１が押し込まれると、それに係合している伝達部材３２の係合突起３２ｃは、内壁溝１６ｂの端部に移動する。そして、回転子６０の波歯端部６４と伝達部材３２の波歯端部３２ｂとが完全に噛み合うように、回転子６０が僅かに回転する。このとき、スプリング受け部材４０の突部４１が回転子６０と接している。そして、回転子６０の波歯端部６４と伝達部材３２の波歯端部３２ｂとが完全に噛み合い、互いに押しつけ合う状態となる。
【００４８】
（図９）
筆記者がノックヘッド部材３１への押圧をやめると、リターンスプリング５０がスプリング受け部材４０を押し返す。すると、片波歯端部１６ｃと回転子６０の波歯端部６４とが接触しながら移動する。すると、片波歯端部１６ｃと波歯端部６４との接触角度に沿った移動を行うために回転子６０が回転し、片波歯端部１６ｃの奥部分に波歯端部６４が当接し、回転子６０がその回転を停止する。この停止位置は、ノックヘッド部材３１の移動前よりも筆記先端２１側となり、その結果、スプリング受け部材４０などに支持固定されているインク収納部２０も停止する。しかし、その停止位置は、内壁溝１６ｂを噛み合い突起３２ｃが後軸筒１５の内壁溝１６ｂにおけるスプリング受け部材４０寄りである。したがって、図９では図示していないが、インク収納部の先端である筆記先端は、筆記先端軸筒から突出した位置で停止しており、筆記が可能となる。
【００４９】
以上のような構成を採用したため、回転子とそれに接しているリターンスプリングとの関係で筆記先端の出没が円滑に行われなくなる確率を現在よりも格段に低めることができた。
【図面の簡単な説明】
【００５０】
【図１】本発明の実施形態の全体を示す断面図である。
【図２】本発明の実施形態の主要部を示す断面図である。
【図３】主要部品を示す分解斜視図である。
【図４】主要部品を示す側面図および底面図である。
【図５】主要部品を示す斜視図である。
【図６】主要部品を示す斜視図である。
【図７】主要部の動きを示す側面図である。
【図８】主要部の動きを示す側面図である。
【図９】主要部の動きを示す側面図である。
【符号の説明】
【００５１】
１０    軸筒                  １１    前軸筒
１２    筆記先端軸筒          １３    雄ネジ部
１４    グリップ部材          １５    後軸筒
１６    カム                  １６ａ  内壁突条
１６ｂ  内壁溝                １６ｃ  片波歯端部
１９    化粧筒
２０    インク収納管          ２１    筆記先端
３０    ノック部材            ３１    ノックヘッド部材
３２    伝達部材              ３２ａ  係合部
３２ｂ  波歯端部              ３２ｃ  噛み合い突起
４０    スプリング受け部材    ４１    突部
４２    スプリング当接部      ４３，４３ａ，４３ｂ，４３ｃ    突条
５０    リターンスプリング    ５１    スプリング固定部材
６０    回転子                ６１    挿入部
６２    太筒部                ６３    突条部
６４    波歯端部              ６５    リング部
６６    雌ネジ部
【図１】
2005053196.tif 000003
【図２】
2005053196.tif 000004
【図３】
2005053196.tif 000005
【図４】
2005053196.tif 000006
【図５】
2005053196.tif 000007
【図６】
2005053196.tif 000008
【図７】
2005053196.tif 000009
【図８】
2005053196.tif 000010
【図９】
2005053196.tif 000011